(57)【要約】      （修正有）【課題】ごみ等の収納物を収納する袋の開口部を隙間なく堅く封をすることができ、さらにごみ等の収納物を簡易に出し入れ可能とする蓋を備えた分別ごみ等の収納用具であり、収納したごみ等の収納物を保管、廃棄するときには袋の開口部を紐等で堅く結んで閉じることができる分別ごみ等の収納用具を提供する。【解決手段】収納具１に袋１７を装着するための切込みと空間部を設け、空間部に挿入具を挿入、又は押し込むことによって、収納具１に装着した袋１７の開口部が圧着され、袋１７の開口部を隙間なく堅く封をすることができ、さらに挿入具に設けた留具により挿入具を固定し、挿入具に設けた開閉自在な蓋５を開け閉めすることで、ごみ等の収納物２１の出し入れが可能となる。収納したごみ等の収納物２１を保管、廃棄するときには、収容具に設けた袋１７の開口部を紐等で堅く結んで閉じるための紐誘導部により袋１７の開口部を紐等で堅く結んで閉じる。【選択図】図１
2017014009.tif 000002
【特許請求の範囲】
【請求項１】
収納具（１）に袋（１７）を装着するための切込み（２）と空間部（３）を設け、空間部（３）に挿入具（４）を挿入、又は押し込むことによって、収納具（１）に装着した袋（１７）の開口部が圧着され、袋（１７）の開口部を隙間なく堅く封をすることができ、さらに挿入具（４）に設けた留具（７）により挿入具（４）を固定し、挿入具（４）に設けた開閉自在な蓋（５）を開け閉めすることで、ごみ等の収納物（２１）の出し入れを可能とする分別ごみ等収納用具。
【請求項２】
収容具（８）の後方を土台（１２）とし、収容具（８）の先方にアーム（９）を設け、アーム（９）の一部には手提げ袋（１６）を固定する袋固定部（１１）を設ける。
さらに袋（１７）の開口部を紐等で堅く結んで閉じるための紐誘導部（１０）を設けた請求項１の分別ごみ等収納用具。
【請求項３】
挿入具（４）には、収納具（１）の空間部（３）から外れないようにする留具（７）を設け、挿入具（４）の内側には開閉自在な蓋（５）を設け、蓋（５）には蓋取手（６）を設けた請求項１又は２の分別ごみ等収納用具。
【請求項４】
収容具（８）の土台（１２）の内側には凹み部（１４）を設け、土台（１２）の一部に吸盤部（１３）を設けた請求項１から３の分別ごみ等収納用具。
【発明の詳細な説明】
【技術分野】
【０００１】  本発明は、ごみ等の収納物を収納する袋の開口部を隙間なく堅く封をすることができ、さらにごみ等の収納物を簡易に出し入れ可能とする蓋を備えた分別ごみ等の収納用具であり、収納したごみ等の収納物を保管、廃棄するときには袋の開口部を紐等で堅く結んで閉じることができる分別ごみ等の収納用具に関するものである。
【背景技術】
【０００２】  従来、分別ごみ等の収納用具は、蓋を設けたごみ箱を複数用意し、ごみの種類ごとに分別収納するものがある。また、ハンガー式ごみ収納装置（特許文献１）がある。
【先行技術文献】
【０００３】
【特許文献１】特開２００６−２９８５９３号公報
【発明の概要】
【発明が解決しようとする課題】
【０００４】  従来の分別ごみ等の収納用具は、次のような欠点があった。
（イ）、袋の開口部を隙間なく堅く封をする作用と、ごみ等の収納物を必要に応じて簡易に出し入れ可能とする蓋を備えた分別ごみ等の収納用具はなかった。
（ロ）、ごみ箱へ袋を装着するときにごみ箱の構造や袋の種類等によって袋の開口部全体をごみ箱に固定できず、袋の一部がごみ箱から簡易に外れてしまうことがある。
（ハ）、袋の開口部を紐等で簡易に閉じて保管、廃棄ができなかった。
本発明は、以上のような欠点をなくすために発明されたものである。
【課題を解決するための手段】
【０００５】  収納具（１）に袋（１７）を装着するための切込み（２）と空間部（３）を設け、空間部（３）に挿入具（４）を挿入、又は押し込むことによって、収納具（１）に装着した袋（１７）の開口部が圧着され、袋（１７）の開口部を隙間なく堅く封をすることができ、さらに挿入具（４）に設けた留具（７）により挿入具（４）を固定し、挿入具（４）に設けた開閉自在な蓋（５）を開け閉めすることで、簡易にごみ等の収納物（２１）の出し入れが可能となる。
収納したごみ等の収納物（２１）を保管、廃棄するときは収容具（８）先方に設けた袋（１７）の開口部を紐等で堅く結んで閉じるための紐誘導部（１０）により袋（１７）の開口部を紐等で堅く結んで閉じる。【０００６】  挿入具（４）は、収納具（１）の空間部（３）から外れないようにする留具（７）を設け、挿入具（４）の内側には開閉自在な蓋（５）を設け、蓋（５）には蓋取手（６）を設ける。【０００７】  収容具（８）先方に設けたアーム（９）の一部には手提げ袋（１６）を固定する袋固定部（１１）を設け、収容具（８）後方の土台（１２）の内側には凹み部（１４）を設け、土台（１２）の一部に吸盤部（１３）を設ける。
以上の構成よりなる分別ごみ等の収納用具。
【発明の効果】
【０００８】  本発明を使用することによって、袋の種類等を問わず袋の開口部全体を堅く封がされた状態を保持し、蓋に設けた蓋取手を手に持ち移動しながら、開閉自在な蓋により簡易にごみ等の収納物の出し入れができる。【０００９】  ごみ等の収納物を出し入れしないときは、袋の開口部を隙間なく堅く封がされることから蓋を閉めておくことで、ごみ等の収納物からの臭いの拡散を抑えることができる。また袋の開口部を紐等で堅く結んで閉じることができるため、長期間の保管が可能で袋の開口部が簡易に外れないので廃棄もスムーズにできる。【００１０】  収納具（１）と挿入具（４）と収容具（８）を簡単な構成としているから複雑な装置等を必要とせず、コストを安くすることができ、機能的にごみ等の収納物の収納作業ができる。
【図面の簡単な説明】
【００１１】
【図１】  袋を装着した収納具の空間部に挿入具を挿入、又は押し込み挿入具を留具で固定した収納具及び挿入具と手提げ袋を設置した状態を示す収容具の斜視図である。
【図２】  取手蓋を手に持ち収納作業をする使用状態を示す側面図である。
【図３】  収容具の斜視図である。
【図４】  挿入具の平面図である。
【図５】  収納具の平面図である。
【図６】  紐誘導部で袋の開口部を紐で堅く結ぶ状態を示した収容具の側面図である。
【図７】  紐誘導部で袋の開口部を紐で堅く結ぶための結び目をつくる状態を示した収容具の斜視図である。
【図８】  紐誘導部で袋の開口部を紐で堅く結ぶために複数の結び目をつくる状態を示した収容具の斜視図である。
【図９】  挿入具の斜視図である。
【図１０】  袋を装着した収納具の斜視図である。
【図１１】  袋を装着した収納具の空間部に挿入具を挿入、又は押し込み挿入具を留具で固定した状態の収納具及び挿入具の斜視図である。
【発明を実施するための最良の形態】
【００１２】  以下、本発明の実施の形態を説明する。
ごみ等を収納する袋（１７）の開口部を隙間なく堅く封をするために収納具（１）に設けた切込み（２）に袋（１７）の一部を入れて袋（１７）を装着する（図１０）。
挿入具（４）は留具（７）を設け、袋（１７）を装着した収納具（１）の空間部（３）に挿入具（４）を挿入、又は押し込むことで収納具（１）に装着した袋（１７）の開口部が圧着され、袋（１７）の開口部を隙間なく堅く封をすることができ、挿入具（４）に設けた留具（７）で挿入具（４）が外れないよう固定する（図１０）（図１１）。
挿入具（４）には開閉自在な蓋（５）を設け、蓋（５）の一部に蓋（５）の開閉と手に持って持ち運びができるように蓋取手（６）を設ける（図２）。
図面に示される収納具（１）と挿入具（４）及び蓋（５）の形状は実施形態に限定されず、収納具（１）の空間部（３）に挿入具（４）が隙間なく挿入、又は押し込むことができ、挿入具（４）の蓋（５）に面する外周の幅を空間部（３）より広くすればよく、任意の適切な形状を有しうる。また、留具（７）は収納具（１）と挿入具（４）が所定位置に維持するように２つ以上設けることで確実な効果が得られる（図４）（図５）（図９）。【００１３】  例えば、（図１１）に示すような、袋（１７）を装着した収納具（１）の空間部（３）に挿入具（４）を挿入、又は押し込み、留具（７）で挿入具（４）を固定した状態の挿入具（４）及び収納具（１）を従来の蓋の無いごみ箱へ設置することで蓋を有するごみ箱として使用することが可能である。【００１４】  収納したごみ等の収納物（２１）を保管、廃棄するときは、収容具（８）先方に設けたアーム（９）に、袋（１７）を装着した収納具（１）の空間部（３）に挿入具（４）を挿入、又は押し込み挿入具（４）を留具（７）で固定した状態の収納具（１）及び挿入具（４）又は手提げ袋（１６）を設置し、アーム（９）の下方に設けた袋（１７）の開口部を紐等で堅く結んで閉じるための紐誘導部（１０）により袋（１７）の開口部を紐等で堅く結んで閉じる（図１）（図６）（図７）（図８）。
紐誘導部（１０）は、紐を支えて止める出っ張りを有し、出っ張りに紐を引っ掛けて紐が弛まないよう張りつめた状態で複数の結び目をつくることを可能としている（図６）（図７）（図８）。
図面に示される紐誘導部（１０）の紐を支えて止める出っ張りの形状は実施形態に限定されず、紐を支えて止める凸凹を有し、紐が弛まないよう袋（１７）の開口部へ誘導し、凸凹へ引っ掛けることができればよく、任意の適切な形状を有しうる。
また、紐誘導部（１０）は、ごみ箱等に袋（１７）の開口部が固定され、紐が緩まないよう袋（１７）の開口部へ誘導する紐を通す切込み、又は空間と紐を結ぶのに有効な凸凹を有することで収容具（８）に限らず、従来のごみ箱等にも応用が可能である。【００１５】  収容具（８）先方に設けたアーム（９）の一部には手提げ袋（１６）を固定する袋固定部（１１）を設け、収容具（８）後方の土台（１２）の内側には凹み部（１４）を設け、土台（１２）の一部に吸盤部（１３）を設ける（図１）（図３）。
土台（１２）に設けた凹み部（１４）は袋（１７）から水等が漏れた場合に水等を受けるものであり、また、吸盤部（１３）は収容具（８）が所定位置から動かないよう３つ以上設けると、安定した使用ができる（図１）（図３）。
収容具（８）設けた箱部（１５）には紐や鋏等を収納できる（図３）。
収容具（８）は実施形態に限定されず、箱部（１５）はなくてもよい。
【符号の説明】
【００１６】    １  収納具
２  切込み
３  空間部
４  挿入具
５  蓋
６  蓋取手
７  留具
８  収容具
９  アーム
１０  紐誘導部
１１  袋固定部
１２  土台
１３  吸盤部
１４  凹み部
１５  箱部
１６  手提げ袋
１７  袋
１８  手
１９  紐
２０  結び目
２１  収納物
【図１】
2017014009.tif 000003
【図２】
2017014009.tif 000004
【図３】
2017014009.tif 000005
【図４】
2017014009.tif 000006
【図５】
2017014009.tif 000007
【図６】
2017014009.tif 000008
【図７】
2017014009.tif 000009
【図８】
2017014009.tif 000010
【図９】
2017014009.tif 000011
【図１０】
2017014009.tif 000012
【図１１】
2017014009.tif 000013